【手続補正書】
【提出日】令和3年4月30日(2021.4.30)
【手続補正１】
【補正対象書類名】特許請求の範囲
【補正対象項目名】全文
【補正方法】変更
【補正の内容】
【特許請求の範囲】
【請求項１】
データベースを格納するハードディスクドライブ（ＨＤＤ）と、メモリとを備え、複数の情報処理装置と通信し、前記データベースと同期するための同期データを、データの取得要求の要求元の情報処理装置に対して送信するサーバ装置であって、
前記複数の情報処理装置のうちの一の情報処理装置から送信された更新データに基づいて前記データベースを更新する更新手段と、
前記更新されたデータベースに対応付けて、前記情報処理装置を管理するためのデバイス管理情報を前記メモリに保存する保存手段と、
前記データの取得要求を受け付ける受付手段と、
前記同期データを送信する送信手段と、
を有し、
前記保存手段は、前記デバイス管理情報において、前記一の情報処理装置を、同期された装置として管理し、
前記送信手段は、前記更新されたデータベースに対応付けられる前記デバイス管理情報において、前記データの取得要求の要求元の前記情報処理装置が、前記同期された装置であることを示さない場合には、前記更新されたデータベースにアクセスして前記同期データを送信し、前記同期された装置であることを示す場合には、前記更新されたデータベースにアクセスしないことを特徴とするサーバ装置。
【請求項２】
前記デバイス管理情報は、前記データベースが更新された後に前記サーバ装置と同期した前記情報処理装置の識別情報を含むことを特徴とする請求項１に記載のサーバ装置。
【請求項３】
前記デバイス管理情報は、前記データベースの更新に応じてリセットされることを特徴とする請求項２に記載のサーバ装置。
【請求項４】
前記データの取得要求は、前記更新されたデータベース内のすべてのデータを前記同期データとして取得するための要求であることを特徴とする請求項１に記載のサーバ装置。
【請求項５】
前記データの取得要求は、前記更新されたデータベース内のデータの一部を前記同期データとして取得するための要求であることを特徴とする請求項１に記載のサーバ装置。
【請求項６】
シート上に画像を形成するように構成された画像形成装置をさらに備えることを特徴とする請求項１に記載のサーバ装置。
【請求項７】
データベースを格納するハードディスクドライブ（ＨＤＤ）と、メモリとを備え、複数の情報処理装置と通信し、前記データベースと同期するための同期データを、データの取得要求の要求元の情報処理装置に対して送信するサーバ装置の制御方法であって、
前記複数の情報処理装置のうちの一の情報処理装置から送信された更新データに基づいて前記データベースを更新する更新工程と、
前記更新されたデータベースに対応付けて、前記情報処理装置を管理するためのデバイス管理情報を前記メモリに保存する保存工程と、
前記データの取得要求を受け付ける受付工程と、
前記同期データを送信する送信工程と、
を含み、
前記保存工程では、前記デバイス管理情報において、前記一の情報処理装置を、同期された装置として管理し、
前記送信工程では、前記更新されたデータベースに対応付けられる前記デバイス管理情報において、前記データの取得要求の要求元の前記情報処理装置が、前記同期された装置であることを示さない場合には、前記更新されたデータベースにアクセスして前記同期データを送信し、前記同期された装置であることを示す場合には、前記更新されたデータベースにアクセスしないことを特徴とする制御方法。
【請求項８】
前記デバイス管理情報が、前記データベースが更新された後に前記サーバ装置と同期した前記情報処理装置の識別情報を含むことを特徴とする請求項７に記載の制御方法。
【請求項９】
前記デバイス管理情報は、前記データベースの更新に応じてリセットされることを特徴とする請求項７に記載の制御方法。
【請求項１０】
前記データの取得要求は、前記更新されたデータベース内のすべてのデータを前記同期データとして取得するための要求であることを特徴とする請求項７に記載の制御方法。
【請求項１１】
前記データの取得要求は、前記更新されたデータベース内のデータの一部を前記同期データとして取得するための要求であることを特徴とする請求項７に記載の制御方法。
【請求項１２】
シート上に画像を形成するように構成された画像形成装置を制御するための請求項７に記載の制御方法。
【請求項１３】
データベースを格納するハードディスクドライブ（ＨＤＤ）と、メモリとを備え、複数の情報処理装置と通信し、前記データベースと同期するための同期データを、データの取得要求の要求元の情報処理装置に対して送信するサーバ装置に実行させるためのプログラムであって、
前記複数の情報処理装置のうちの一の情報処理装置から送信された更新データに基づいて前記データベースを更新する更新手段と、
前記更新されたデータベースに対応付けて、前記情報処理装置を管理するためのデバイス管理情報を前記メモリに保存する保存手段と、
前記データの取得要求を受け付ける受付手段と、
前記同期データを送信する送信手段としてコンピュータを機能させ、
前記保存手段は、前記デバイス管理情報において、前記一の情報処理装置を、同期された装置として管理し、
前記送信手段は、前記更新されたデータベースに対応付けられる前記デバイス管理情報において、前記データの取得要求の要求元の前記情報処理装置が、前記同期された装置であることを示さない場合には、前記更新されたデータベースにアクセスして前記同期データを送信し、前記同期された装置であることを示す場合には、前記更新されたデータベースにアクセスしないことを特徴とするプログラム。
【請求項１４】
前記デバイス管理情報は、前記データベースが更新された後に前記サーバ装置と同期した前記情報処理装置の識別情報を含むことを特徴とする請求項１３に記載のプログラム。
【請求項１５】
前記デバイス管理情報は、前記データベースの更新に応じてリセットされることを特徴とする請求項１３に記載のプログラム。
【請求項１６】
前記データの取得要求は、前記更新されたデータベース内のすべてのデータを前記同期データとして取得するための要求であることを特徴とする請求項１３に記載のプログラム。
【請求項１７】
前記データの取得要求は、前記更新されたデータベース内のデータの一部を前記同期データとして取得するための要求であることを特徴とする請求項１３に記載のプログラム。
【請求項１８】
シート上に画像を形成するように構成された画像形成装置に実行させるための請求項１３に記載のプログラム。
【手続補正２】
【補正対象書類名】明細書
【補正対象項目名】発明の名称
【補正方法】変更
【補正の内容】
【発明の名称】サーバ装置、制御方法及びプログラム
【手続補正３】
【補正対象書類名】明細書
【補正対象項目名】０００１
【補正方法】変更
【補正の内容】
【０００１】
本発明は、サーバ装置、制御方法及びプログラムに関する。
【手続補正４】
【補正対象書類名】明細書
【補正対象項目名】０００５
【補正方法】変更
【補正の内容】
【０００５】
本発明は、データベースを格納するハードディスクドライブ（ＨＤＤ）と、メモリとを備え、複数の情報処理装置と通信し、前記データベースと同期するための同期データを、データの取得要求の要求元の情報処理装置に対して送信するサーバ装置であって、前記複数の情報処理装置のうちの一の情報処理装置から送信された更新データに基づいて前記データベースを更新する更新手段と、前記更新されたデータベースに対応付けて、前記情報処理装置を管理するためのデバイス管理情報を前記メモリに保存する保存手段と、前記データの取得要求を受け付ける受付手段と、前記同期データを送信する送信手段と、を有し、前記保存手段は、前記デバイス管理情報において、前記一の情報処理装置を、同期された装置として管理し、前記送信手段は、前記更新されたデータベースに対応付けられる前記デバイス管理情報において、前記データの取得要求の要求元の前記情報処理装置が、前記同期された装置であることを示さない場合には、前記更新されたデータベースにアクセスして前記同期データを送信し、前記同期された装置であることを示す場合には、前記更新されたデータベースにアクセスしないことを特徴とする。